(57)【要約】【課題】部品点数の増加を抑制しつつ配索材を適正に保護しフレキシブルな配索に対応することができるプロテクタ、及び、ワイヤハーネスを提供することを目的とする。【解決手段】ワイヤハーネスＷＨ１のプロテクタ１は、筒状に形成され内部に導電性を有する配索材Ｗが挿通され当該配索材Ｗの配索経路を規制する第１プロテクタ部１０及び第２プロテクタ部２０と、筒状に形成され内部に配索材Ｗが挿通されると共に第１プロテクタ部１０と第２プロテクタ部２０とを連結し当該第１プロテクタ部１０及び当該第２プロテクタ部２０より高い可撓性を有する連結可撓部３０とを備え、第１プロテクタ部１０又は第２プロテクタ部２０の少なくとも一方は、配索材Ｗの配索経路を直線状とは異なる形状に規制し、第１プロテクタ部１０と第２プロテクタ部２０と連結可撓部３０とは、一体で形成されていることを特徴とする。【選択図】図１
2019033553.tif 000002
【特許請求の範囲】
【請求項１】
筒状に形成され内部に導電性を有する配索材が挿通され当該配索材の配索経路を規制する第１プロテクタ部及び第２プロテクタ部と、
筒状に形成され内部に前記配索材が挿通されると共に前記第１プロテクタ部と前記第２プロテクタ部とを連結し当該第１プロテクタ部及び当該第２プロテクタ部より高い可撓性を有する連結可撓部とを備え、
前記第１プロテクタ部又は前記第２プロテクタ部の少なくとも一方は、前記配索材の配索経路を直線状とは異なる形状に規制し、
前記第１プロテクタ部と前記第２プロテクタ部と前記連結可撓部とは、一体で形成されていることを特徴とする、
プロテクタ。
【請求項２】
前記第１プロテクタ部又は前記第２プロテクタ部の他方は、前記配索材の配索経路を直線状に規制する、
請求項１に記載のプロテクタ。
【請求項３】
前記第１プロテクタ部又は前記第２プロテクタ部の前記一方は、内部に内蔵部品を内蔵する内蔵空間部を有する、
請求項１又は請求項２に記載のプロテクタ。
【請求項４】
前記第１プロテクタ部又は前記第２プロテクタ部の前記一方は、内部に挿通される前記配索材の一部の配索経路を分岐させる分岐部を含む、
請求項１乃至請求項３のいずれか１項に記載のプロテクタ。
【請求項５】
前記連結可撓部は、外面が前記配索材の挿通方向に沿った波形形状である、
請求項１乃至請求項４のいずれか１項に記載のプロテクタ。
【請求項６】
導電性を有する配索材と、
前記配索材に装着され当該配索材を保護するプロテクタとを備え、
前記プロテクタは、
筒状に形成され内部に前記配索材が挿通され当該配索材の配索経路を規制する第１プロテクタ部及び第２プロテクタ部と、
筒状に形成され内部に前記配索材が挿通されると共に前記第１プロテクタ部と前記第２プロテクタ部とを連結し当該第１プロテクタ部及び当該第２プロテクタ部より高い可撓性を有する連結可撓部とを備え、
前記第１プロテクタ部又は前記第２プロテクタ部の少なくとも一方は、前記配索材の配索経路を直線状とは異なる形状に規制し、
前記第１プロテクタ部と前記第２プロテクタ部と前記連結可撓部とは、一体で形成されていることを特徴とする、
ワイヤハーネス。
【発明の詳細な説明】
【技術分野】
【０００１】
本発明は、プロテクタ、及び、ワイヤハーネスに関する。
【背景技術】
【０００２】
車両のワイヤハーネス等に適用される従来の技術として、例えば、特許文献１には、ワイヤハーネス外装用コルゲートチューブの継手部材が開示されている。この継手部材は、ワイヤハーネスの分岐部において、ワイヤハーネスの幹線と支線とに夫々に外装したコルゲートチューブを連結固定する。
【先行技術文献】
【特許文献】
【０００３】
【特許文献１】特開平１０−０８４６１１号公報
【発明の概要】
【発明が解決しようとする課題】
【０００４】
ところで、上述の特許文献１に記載の継手部材は、例えば、より効率的でフレキシブルな配索の点で更なる改善の余地がある。
【０００５】
本発明は、上記の事情に鑑みてなされたものであって、部品点数の増加を抑制しつつ配索材を適正に保護しフレキシブルな配索に対応することができるプロテクタ、及び、ワイヤハーネスを提供することを目的とする。
【課題を解決するための手段】
【０００６】
上記目的を達成するために、本発明に係るプロテクタは、筒状に形成され内部に導電性を有する配索材が挿通され当該配索材の配索経路を規制する第１プロテクタ部及び第２プロテクタ部と、筒状に形成され内部に前記配索材が挿通されると共に前記第１プロテクタ部と前記第２プロテクタ部とを連結し当該第１プロテクタ部及び当該第２プロテクタ部より高い可撓性を有する連結可撓部とを備え、前記第１プロテクタ部又は前記第２プロテクタ部の少なくとも一方は、前記配索材の配索経路を直線状とは異なる形状に規制し、前記第１プロテクタ部と前記第２プロテクタ部と前記連結可撓部とは、一体で形成されていることを特徴とする。
【０００７】
また、上記プロテクタでは、前記第１プロテクタ部又は前記第２プロテクタ部の他方は、前記配索材の配索経路を直線状に規制するものとすることができる。
【０００８】
また、上記プロテクタでは、前記第１プロテクタ部又は前記第２プロテクタ部の前記一方は、内部に内蔵部品を内蔵する内蔵空間部を有するものとすることができる。
【０００９】
また、上記プロテクタでは、前記第１プロテクタ部又は前記第２プロテクタ部の前記一方は、内部に挿通される前記配索材の一部の配索経路を分岐させる分岐部を含むものとすることができる。
【００１０】
また、上記プロテクタでは、前記連結可撓部は、外面が前記配索材の挿通方向に沿った波形形状であるものとすることができる。
【００１１】
上記目的を達成するために、本発明に係るワイヤハーネスは、導電性を有する配索材と、前記配索材に装着され当該配索材を保護するプロテクタとを備え、前記プロテクタは、筒状に形成され内部に前記配索材が挿通され当該配索材の配索経路を規制する第１プロテクタ部及び第２プロテクタ部と、筒状に形成され内部に前記配索材が挿通されると共に前記第１プロテクタ部と前記第２プロテクタ部とを連結し当該第１プロテクタ部及び当該第２プロテクタ部より高い可撓性を有する連結可撓部とを備え、前記第１プロテクタ部又は前記第２プロテクタ部の少なくとも一方は、前記配索材の配索経路を直線状とは異なる形状に規制し、前記第１プロテクタ部と前記第２プロテクタ部と前記連結可撓部とは、一体で形成されていることを特徴とする。
【発明の効果】
【００１２】
本発明に係るプロテクタ、及び、ワイヤハーネスは、第１プロテクタ部、第２プロテクタ部、及び、連結可撓部の内部に配索材が挿通されることで当該配索材を覆い保護することができる。そして、プロテクタは、第１プロテクタ部によって配索材の配索経路を規制する部分と第２プロテクタ部によって配索材の配索経路を規制する部分とを併設した上でこれらを連結する連結可撓部で屈曲変形を許容することができる。このとき、プロテクタは、第１プロテクタ部、又は、第２プロテクタ部の少なくとも一方で配索材の配索経路を直線状とは異なる異形形状に規制した状態を維持して当該一方を設置部位に固定することができ、その上で、連結可撓部で屈曲変形を許容することができる。そして、プロテクタは、これら第１プロテクタ部、第２プロテクタ部、及び、連結可撓部が全て一体で形成されている。この結果、プロテクタ、及び、ワイヤハーネスは、部品点数の増加を抑制しつつ配索材を適正に保護しフレキシブルな配索に対応することができる、という効果を奏する。
【図面の簡単な説明】
【００１３】
【図１】図１は、実施形態１に係るプロテクタが適用されるワイヤハーネスの概略構成を表す模式的な平面図である。
【図２】図２は、実施形態１に係るプロテクタの第１プロテクタ部の概略構成を表す模式的な断面図である。
【図３】図３は、実施形態１に係るプロテクタの第２プロテクタ部の概略構成を表す模式的な断面図である。
【図４】図４は、実施形態１に係るプロテクタの連結可撓部の概略構成を表す模式的な断面図である。
【図５】図５は、実施形態２に係るプロテクタが適用されるワイヤハーネスの概略構成を表す模式的な平面図である。
【図６】図６は、実施形態２に係るプロテクタの第１プロテクタ部の概略構成を表す模式的な断面図である。
【図７】図７は、実施形態３に係るプロテクタが適用されるワイヤハーネスの概略構成を表す模式的な平面図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態１］
図１に示すプロテクタ１は、自動車等の車両に搭載され、ワイヤハーネスＷＨ１に組み込まれ、導電性の配索材Ｗの周囲に外装され当該配索材Ｗを保護するものである。ワイヤハーネスＷＨ１は、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨ１は、複数の配索材Ｗと、配索材Ｗに装着され当該配索材Ｗを保護するプロテクタ１とを備える。ワイヤハーネスＷＨ１は、この他、さらに、グロメット、電気接続箱、コネクタ、固定具等を含んで構成されてもよい。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。そして、本実施形態のプロテクタ１は、第１プロテクタ部１０、第２プロテクタ部２０、及び、連結可撓部３０を含む全体が一体で形成されることで、部品点数の増加を抑制しより効率的でフレキシブルな配索材Ｗの配索を実現したものである。
【００１６】
具体的には、プロテクタ１は、図１、図２、図３、図４に示すように、第１プロテクタ部１０と、第２プロテクタ部２０と、連結可撓部３０とを備える。プロテクタ１は、第１プロテクタ部１０と第２プロテクタ部２０と連結可撓部３０とが絶縁性を有する樹脂材料等によって一体で形成される。プロテクタ１は、連結可撓部３０が第１プロテクタ部１０と第２プロテクタ部２０との間に位置し第１プロテクタ部１０と第２プロテクタ部２０とを連結する。そして、プロテクタ１は、第１プロテクタ部１０と連結可撓部３０と第２プロテクタ部２０とに渡って全体が略筒状に形成され、内部が連通し、当該内部に配索材Ｗが挿通される。プロテクタ１は、略筒状における軸線方向が配索材Ｗの挿通方向となる。
【００１７】
第１プロテクタ部１０は、図２に示すように、壁体１１によって筒状に形成される。ここでは、第１プロテクタ部１０は、壁体１１によって、筒状における軸線方向と直交する断面形状が略矩形状に形成されるものとして図示しているがこれに限らず、当該断面形状が略円形状、略三角形状、四角形以上の略多角形状等に形成されてもよい。第１プロテクタ部１０は、壁体１１によって囲われた内部の空間部が挿通空間部１２を構成する。挿通空間部１２は、配索材Ｗが挿通される空間部である。第１プロテクタ部１０は、当該挿通空間部１２に対して、軸線方向に沿って配索材Ｗが挿通される。第１プロテクタ部１０は、壁体１１の外面（挿通空間部１２側とは反対側の面）にクランプ等の固定具１３が設けられている。固定具１３は、車両において予め定められた所定の設置部位に第１プロテクタ部１０を固定するものである。固定具１３は、壁体１１と一体で形成されてもよいし、壁体１１とは別体に形成された後、壁体１１に組み付けられてもよい。
【００１８】
第２プロテクタ部２０は、図３に示すように、壁体２１によって筒状に形成される。ここでは、第２プロテクタ部２０は、壁体２１によって、筒状における軸線方向と直交する断面形状が略円形状に形成されるものとして図示しているがこれに限らず、当該断面形状が略多角形状等に形成されてもよい。第２プロテクタ部２０は、壁体２１によって囲われた内部の空間部が挿通空間部２２を構成する。挿通空間部２２は、配索材Ｗが挿通される空間部である。第２プロテクタ部２０は、当該挿通空間部２２に対して、軸線方向に沿って配索材Ｗが挿通される。第２プロテクタ部２０は、壁体２１の外面（挿通空間部２２側とは反対側の面）にクランプ等の固定具２３が設けられている。固定具２３は、車両において予め定められた所定の設置部位に第２プロテクタ部２０を固定するものである。固定具２３は、壁体２１と一体で形成されてもよいし、壁体２１とは別体に形成された後、壁体２１に組み付けられてもよい。
【００１９】
そして、第１プロテクタ部１０、及び、第２プロテクタ部２０は、共に連結可撓部３０より相対的に高い剛性を有する部位として形成される。この構成により、第１プロテクタ部１０、第２プロテクタ部２０は、それぞれ配索材Ｗの外側を覆い保護すると共に内部に挿通される配索材Ｗの配索経路を規制する経路規制部として機能する。
【００２０】
そして、本実施形態の第１プロテクタ部１０又は第２プロテクタ部２０の少なくとも一方は、配索材Ｗの配索経路を直線状とは異なる形状に規制する。また、第１プロテクタ部１０又は第２プロテクタ部２０の他方は、配索材Ｗの配索経路を直線状に規制する。本実施形態では、第１プロテクタ部１０は、上記一方に相当し、配索材Ｗの配索経路を直線状とは異なる異形形状に規制する異径形状経路規制部を構成する。第１プロテクタ部１０は、典型的には、軸線方向（配索材Ｗの挿通方向）を基準として、非対称な部位を含んで構成される。第２プロテクタ部２０は、上記他方に相当し、配索材Ｗの配索経路を直線状に規制する直線状経路規制部を構成する。
【００２１】
ここでは、第１プロテクタ部１０は、直線状とは異なる異形形状として、屈曲部位を有するクランク形状に配索材Ｗの配索経路を規制する。つまり、第１プロテクタ部１０は、壁体１１、挿通空間部１２が屈曲部位を有するクランク形状に形成され、配索材Ｗが挿通空間部１２に屈曲部位を有するクランク形状で挿通され配索される。第１プロテクタ部１０は、相対的に高い剛性を有することで、要求される配索経路に沿った良好なクランク形状保持性を有する。一方、第２プロテクタ部２０は、壁体２１、挿通空間部２２が直線状に形成され、配索材Ｗが挿通空間部２２に直線状で挿通され配索される。第２プロテクタ部２０は、相対的に高い剛性を有することで、要求される配索経路に沿った良好な直線状保持性を有する。
【００２２】
連結可撓部３０は、図４に示すように、壁体３１によって筒状に形成される。ここでは、連結可撓部３０は、壁体３１によって、筒状における軸線方向と直交する断面形状が略円形状に形成されるものとして図示しているがこれに限らず、当該断面形状が略多角形状等に形成されてもよい。連結可撓部３０は、壁体３１によって囲われた内部の空間部が挿通空間部３２を構成する。挿通空間部３２は、配索材Ｗが挿通される空間部である。連結可撓部３０は、当該挿通空間部３２に対して、軸線方向に沿って配索材Ｗが挿通される。
【００２３】
そして、連結可撓部３０は、第１プロテクタ部１０と第２プロテクタ部２０とを連結する。連結可撓部３０は、第１プロテクタ部１０の一方の端部と第２プロテクタ部２０の一方の端部とを連結する。連結可撓部３０は、挿通空間部１２と挿通空間部３２と挿通空間部２２とが軸線方向に沿ってこの順番で相互に連通するように、第１プロテクタ部１０と第２プロテクタ部２０とを連結する。
【００２４】
そして、本実施形態の連結可撓部３０は、第１プロテクタ部１０及び第２プロテクタ部２０より高い可撓性を有する部位として形成される。さらにここでは、連結可撓部３０は、外周面が配索材Ｗの挿通方向に沿った波形形状（コルゲート形状）であるコルゲート部を構成する。連結可撓部３０の波形形状は、外周面に配索材Ｗの挿通方向（軸線方向）に沿って螺旋状の凹凸部が形成されることで構成されてもよいし、外周面に周方向に沿って円環状に形成された凸部と凹部とが当該挿通方向に沿って交互に形成されることで構成されてもよい。この構成により、連結可撓部３０は、配索材Ｗの外側を覆い保護すると共に内部に挿通される配索材Ｗの配索経路の屈曲変形を許容する変形許容部として機能する。
【００２５】
そして、本実施形態のプロテクタ１は、上述したように、第１プロテクタ部１０と第２プロテクタ部２０と連結可撓部３０とが一体で形成されている。第１プロテクタ部１０と第２プロテクタ部２０と連結可撓部３０とは、種々の公知の工法により一体で成形される。例えば、第１プロテクタ部１０と第２プロテクタ部２０と連結可撓部３０とは、いわゆるダイレクトブロー成形によって一体成形されてもよい。この場合、プロテクタ１は、加熱熔融させ円筒状に押し出した樹脂材料を、第１プロテクタ部１０、第２プロテクタ部２０、及び、連結可撓部３０の外形形状に応じた金型で挟み込むと共に内部に空気を吹き込んで膨らませることで筒状の全体が一体成形される。このとき、プロテクタ１は、壁体１１、壁体２１、壁体３１等の肉厚や形状が部位に応じて適宜調整されることで、一体形成される第１プロテクタ部１０、第２プロテクタ部２０と連結可撓部３０とにおける剛性、可撓性の相異が実現される。プロテクタ１は、例えば、第１プロテクタ部１０、第２プロテクタ部２０を構成する壁体１１、壁体２１の肉厚が相対的に厚く成形される一方、連結可撓部３０を構成する壁体３１の肉厚が相対的に薄くかつ波形形状が付されて成形される。これにより、プロテクタ１は、相対的に高い剛性を有する第１プロテクタ部１０、第２プロテクタ部２０と、相対的に高い可撓性を有する連結可撓部３０とを区分けした上で、一体で成形された構成とすることができる。上記のようなダイレクトブロー成形は、比較的に小規模な設備で比較的に簡便に実現可能である。なおここでは、プロテクタ１は、一例として、ダイレクトブロー成形によって第１プロテクタ部１０と第２プロテクタ部２０と連結可撓部３０とが一体成形されるものとして説明したがこれに限らず、他の成形工法によって一体成形されてもよい。
【００２６】
上記のように構成されるプロテクタ１は、配索材Ｗが筒状の軸線方向の一方の端部開口から挿通空間部１２、２２、３２を介して他方の端部開口まで挿通される。そして、ワイヤハーネスＷＨ１は、プロテクタ１の固定具１３、２３が車両における所定の設置部位に固定されることで、当該車両に対して所定の形状で配索される。なお、プロテクタ１は、例えば、筒状の軸線方向に沿ってスリットが形成され、当該スリットを介して内部に配索材Ｗが挿通されてもよい。また、プロテクタ１は、全体が筒状の軸線方向に沿って半割形状とされ、当該半割形状とされた各部分がヒンジ等を介して開閉可能に一体化されており、かつ、ロック部等を介して筒状の形状で係止可能に構成されてもよい。この場合、プロテクタ１は、半割形状とされた各部分が開放された状態で内部に配索材Ｗが挿通された後、ロック部を介して筒状の形状で係止されればよい。
【００２７】
以上で説明したプロテクタ１、ワイヤハーネスＷＨ１は、第１プロテクタ部１０、第２プロテクタ部２０、及び、連結可撓部３０の内部に配索材Ｗが挿通されることで当該配索材Ｗを覆い保護することができる。そして、プロテクタ１は、第１プロテクタ部１０によって配索材Ｗの配索経路を規制する部分と第２プロテクタ部２０によって配索材Ｗの配索経路を規制する部分とを併設した上でこれらを連結する連結可撓部３０で屈曲変形を許容することができる。つまり、ワイヤハーネスＷＨ１は、プロテクタ１において、第１プロテクタ部１０と第２プロテクタ部２０と連結可撓部３０とを組み合わせることで、当該ワイヤハーネスＷＨ１における各部位に応じて要求される適正な可撓性と剛性とのバランスを実現することができる。このとき、プロテクタ１は、第１プロテクタ部１０で配索材Ｗの配索経路を直線状とは異なる異形形状に規制した状態を維持して当該第１プロテクタ部１０を設置部位に固定することができ、その上で、連結可撓部３０で屈曲変形を許容することができる。この場合、プロテクタ１は、第１プロテクタ部１０だけで配索材Ｗの配索経路を異形形状に規制した状態を維持できるので、当該配索材Ｗの配索経路を異形形状に規制するための部品点数を極力少なくすることができる。この結果、プロテクタ１、ワイヤハーネスＷＨ１は、ワイヤハーネスＷＨ１全体として自由度の高い形状作製や配索性を確保することができる。これにより、プロテクタ１、ワイヤハーネスＷＨ１は、良好な配索作業性や良好な取扱い性等を確保することができ、配索時の作業性の向上と梱包、輸送時等の取扱い性の向上とを両立することができる。そして、プロテクタ１は、これら第１プロテクタ部１０、第２プロテクタ部２０、及び、連結可撓部３０が全て一体で形成されている。この構成により、プロテクタ１は、部品点数の増加を抑制することができ、作業工数を抑制することができる。また、プロテクタ１は、仮に各部を別体で形成した後、各部を相互に組み付けた場合、各部の連結部分において各部の端末同士を重ね合わせたりテープを巻き付けたりする必要があるなど、不可避的に複数の部材が重なる部分が発生するおそれがある。これに対して、本実施形態のプロテクタ１は、第１プロテクタ部１０、第２プロテクタ部２０、及び、連結可撓部３０が全て一体で形成されているので、複数の部材が重なる部分を極力少なくすることができる。この結果、プロテクタ１、ワイヤハーネスＷＨ１は、部品点数の増加を抑制しつつ配索材Ｗを適正に保護しフレキシブルな配索に対応することができる。
【００２８】
ここでは、以上で説明したプロテクタ１、ワイヤハーネスＷＨ１は、第２プロテクタ部２０では、第１プロテクタ部１０と異なり配索材Ｗの配索経路を直線状に規制した状態を維持して当該第２プロテクタ部２０を設置部位に固定することができる。その上で、プロテクタ１、ワイヤハーネスＷＨ１は、第１プロテクタ部１０と第２プロテクタ部２０との間の連結可撓部３０で屈曲変形を許容することができるので、よりフレキシブルな配索に対応することができる。
【００２９】
さらに、以上で説明したプロテクタ１、ワイヤハーネスＷＨ１は、連結可撓部３０の外面が波形形状であるので、連結可撓部３０においてより良好な可撓性を確保することができ、配索材Ｗの配索経路の屈曲変形をより好適に許容することができる。
【００３０】
［実施形態２］
実施形態２に係るプロテクタ、ワイヤハーネスは、第１プロテクタ部が内蔵空間部を有する点で実施形態１とは異なる。以下では、上述した実施形態と同様の構成要素には共通の符号が付されるとともに、共通する構成、作用、効果については、重複した説明はできるだけ省略する（以下同様）。
【００３１】
図５、図６に示す本実施形態に係るワイヤハーネスＷＨ２は、プロテクタ１にかえてプロテクタ２０１を備える点で上述のワイヤハーネスＷＨ１と異なり、その他の構成は、当該ワイヤハーネスＷＨ１と略同様の構成である。プロテクタ２０１は、第１プロテクタ部１０にかえて第１プロテクタ部２１０を備える点で上述のプロテクタ１と異なり、その他の構成は、当該プロテクタ１と略同様の構成である。
【００３２】
本実施形態の第１プロテクタ部２１０は、内部に内蔵空間部２１２Ｂを有する点で上述の第１プロテクタ部１０と異なり、その他の構成は、当該第１プロテクタ部１０と略同様の構成である。第１プロテクタ部２１０は、第１プロテクタ部１０と同様に、配索材Ｗの配索経路を直線状とは異なる異形形状に規制する異径形状経路規制部を構成する。第１プロテクタ部２１０は、壁体２１１によって筒状に形成される。本実施形態の第１プロテクタ部２１０は、壁体２１１によって囲われた内部の空間部である内部空間部２１２が挿通空間部２１２Ａ、及び、内蔵空間部２１２Ｂを構成する。第１プロテクタ部２１０は、第１プロテクタ部１０と同様に、壁体２１１の外面（内部空間部２１２側とは反対側の面）にクランプ等の固定具１３が設けられている。
【００３３】
挿通空間部２１２Ａは、内部空間部２１２において、上述の挿通空間部１２と同様に、配索材Ｗが挿通される空間部である。第１プロテクタ部２１０は、挿通空間部２１２Ａに対して、筒状における軸線方向に沿って配索材Ｗが挿通される。一方、内蔵空間部２１２Ｂは、内部空間部２１２において、内蔵部品２１４を内蔵する空間部である。内蔵空間部２１２Ｂは、内部空間部２１２において、挿通空間部２１２Ａと隣接して位置し当該挿通空間部２１２Ａと連通されている。内蔵空間部２１２Ｂは、内部空間部２１２において、内蔵部品２１４を収容可能な形状、大きさの空間部として形成される。ここでは、第１プロテクタ部２１０は、直線状とは異なる異形形状として、屈曲部位を有するクランク形状に配索材Ｗの配索経路を規制しつつ当該配索経路に隣接して内蔵部品２１４を内蔵する。つまり、第１プロテクタ部２１０は、挿通空間部２１２Ａが屈曲部位を有するクランク形状に形成されかつ当該挿通空間部２１２Ａと隣接して内蔵空間部２１２Ｂが位置するように壁体２１１が形成される。そして、第１プロテクタ部２１０は、配索材Ｗが当該挿通空間部２１２Ａに屈曲部位を有するクランク形状で挿通され配索されると共に内蔵部品２１４が内蔵空間部２１２Ｂに内蔵される。この場合、第１プロテクタ部２１０は、例えば、上述したように、筒状の軸線方向に沿って形成されるスリットや当該軸線方向に沿って半割形状とされた各部分がヒンジ、ロック部等を介して筒状の形状とされる構造を利用して、内蔵空間部２１２Ｂに内蔵部品２１４が内蔵されればよい。
【００３４】
ここで、内蔵部品２１４は、ワイヤハーネスＷＨ２において、内蔵空間部２１２Ｂに内蔵可能なものであればなんでもよく、例えば、配索材Ｗに電気的に接続される電子部品等である。ここでは、内蔵部品２１４は、一例として、配索材Ｗに接続されるいわゆるジョイントコネクタと呼ばれるものである。ジョイントコネクタは、例えば、バスバ等の回路体によって構成された内部回路をハウジングの内部に有し、ワイヤハーネスＷＨ２の配索材Ｗ群に回路分岐を形成するために用いられる電子部品である。内蔵部品２１４は、この他、相互にコネクタ嵌合するオスコネクタ又はメスコネクタ、ヒューズ、リレー、コンデンサ、分岐部、スイッチ、電子制御ユニット、薄型バッテリ等、種々の機能部品であってもよい。
【００３５】
以上で説明したプロテクタ２０１、ワイヤハーネスＷＨ２は、部品点数の増加を抑制しつつ配索材Ｗを適正に保護しフレキシブルな配索に対応することができる。
【００３６】
そして、以上で説明したプロテクタ２０１、ワイヤハーネスＷＨ２は、第１プロテクタ部２１０の内部に、さらに、内蔵部品２１４を内蔵する内蔵空間部２１２Ｂが設けられる。この構成により、プロテクタ２０１は、第１プロテクタ部２１０で配索材Ｗの配索経路を直線状とは異なる異形形状に規制した状態を維持した上で、さらに、当該異形形状の部分に内蔵部品２１４を内蔵し保護することができる。この結果、プロテクタ２０１、ワイヤハーネスＷＨ２は、例えば、内蔵部品２１４を保護するための部品等を別途設けることなく、部品点数の増加を抑制しつつ配索材Ｗ、内蔵部品２１４を適正に保護しフレキシブルな配索に対応することができる。
【００３７】
［実施形態３］
実施形態３に係るプロテクタ、ワイヤハーネスは、第１プロテクタ部が分岐部を含む点で実施形態１、２とは異なる。
【００３８】
図７に示す本実施形態に係るワイヤハーネスＷＨ３は、プロテクタ１にかえてプロテクタ３０１を備える点で上述のワイヤハーネスＷＨ１と異なり、その他の構成は、当該ワイヤハーネスＷＨ１と略同様の構成である。プロテクタ３０１は、第１プロテクタ部１０にかえて第１プロテクタ部３１０を備えると共に、さらに端部可撓部３４０を備える点で上述のプロテクタ１と異なり、その他の構成は、当該プロテクタ１と略同様の構成である。
【００３９】
本実施形態の第１プロテクタ部３１０は、分岐部３１５を含んで構成される点で上述の第１プロテクタ部１０と異なり、その他の構成は、当該第１プロテクタ部１０と略同様の構成である。第１プロテクタ部３１０は、第１プロテクタ部１０と同様に、配索材Ｗの配索経路を直線状とは異なる異形形状に規制する異径形状経路規制部を構成する。第１プロテクタ部３１０は、壁体３１１によって筒状に形成される。本実施形態の第１プロテクタ部３１０は、壁体３１１によって囲われた内部の空間部が挿通空間部３１２を構成する。挿通空間部３１２は、挿通空間部１２と同様に、配索材Ｗが挿通される空間部である。第１プロテクタ部３１０は、第１プロテクタ部１０と同様に、壁体３１１の外面（挿通空間部３１２側とは反対側の面）にクランプ等の固定具１３が設けられている。
【００４０】
そして、本実施形態の第１プロテクタ部３１０は、壁体３１１によって挿通空間部３１２が分岐されて形成されることで分岐部３１５が構成される。分岐部３１５は、第１プロテクタ部３１０の内部、すなわち、挿通空間部３１２に挿通される配索材Ｗの一部の配索経路を分岐させる部分である。ここでは、分岐部３１５は、連結可撓部３０、第２プロテクタ部２０側において１系統である配索材Ｗの配索経路を、二又に分岐させ、連結可撓部３０、第２プロテクタ部２０側とは反対側で２系統とする部分として形成されている。つまり、挿通空間部３１２は、壁体３１１によって挿通空間部３２と連通する側が１つの幹空間部３１２Ａであり、挿通空間部３２とは反対側が２つの分岐空間部３１２Ｂとなるような二又に分かれた空間部として形成されている。言い換えれば、第１プロテクタ部３１０は、分岐部３１５にて、挿通空間部３１２が幹空間部３１２Ａから２つの分岐空間部３１２Ｂに分岐されるように壁体３１１が形成される。幹空間部３１２Ａは、連結可撓部３０の挿通空間部３２と連通する。２つの分岐空間部３１２Ｂは、一方が幹空間部３１２Ａと直線状に連通し、他方が幹空間部３１２Ａに対して屈曲して連通する。そして、第１プロテクタ部３１０は、挿通空間部３１２に対して、筒状における軸線方向に沿って配索材Ｗが挿通され、分岐部３１５にて当該配索材Ｗが幹空間部３１２Ａと各分岐空間部３１２Ｂとで二又に分岐されて配索される。この構成により、第１プロテクタ部３１０は、少なくとも二又に分岐された一方の配索材Ｗの配索経路が、直線状とは異なる屈曲部位を有した異形形状となるよう規制することができる。
【００４１】
端部可撓部３４０は、第１プロテクタ部３１０の連結可撓部３０とは反対側の端部に連結される。端部可撓部３４０は、第１プロテクタ部３１０の分岐部３１５にて二又に分岐された配索材Ｗの２系統の配索経路に対してそれぞれ設けられる。各端部可撓部３４０は、第１プロテクタ部３１０等と一体で形成される。つまり、本実施形態のプロテクタ３０１は、第１プロテクタ部３１０と第２プロテクタ部２０と連結可撓部３０と各端部可撓部３４０とが一体で形成されている。
【００４２】
各端部可撓部３４０は、第１プロテクタ部３１０の連結可撓部３０側とは反対側の端部に連結され、他端部には他のプロテクタ部等が連結されていない。各端部可撓部３４０のその他の構成は、連結可撓部３０とほぼ同様の構成である。すなわち、各端部可撓部３４０は、壁体３４１によって筒状に形成される。各端部可撓部３４０は、壁体３４１によって囲われた内部の空間部が挿通空間部３４２を構成する。挿通空間部３４２は、配索材Ｗが挿通される空間部である。各端部可撓部３４０は、当該挿通空間部３４２に対して、筒状における軸線方向に沿って配索材Ｗが挿通される。各端部可撓部３４０は、挿通空間部３４２が第１プロテクタ部３１０の挿通空間部３１２の各分岐空間部３１２Ｂとそれぞれ連通するように、第１プロテクタ部３１０に連結される。そして、各端部可撓部３４０は、連結可撓部３０と同様に、第１プロテクタ部３１０及び第２プロテクタ部２０より高い可撓性を有する部位として形成される。さらに、各端部可撓部３４０は、連結可撓部３０と同様に、外周面が配索材Ｗの挿通方向に沿った波形形状（コルゲート形状）であるコルゲート部を構成する。各端部可撓部３４０は、連結可撓部３０と同様に、それぞれ配索材Ｗの外側を覆い保護すると共に内部に挿通される配索材Ｗの配索経路の屈曲変形を許容する変形許容部として機能する。
【００４３】
以上で説明したプロテクタ３０１、ワイヤハーネスＷＨ３は、部品点数の増加を抑制しつつ配索材Ｗを適正に保護しフレキシブルな配索に対応することができる。
【００４４】
そして、以上で説明したプロテクタ３０１、ワイヤハーネスＷＨ３は、内部に挿通される配索材Ｗの一部の配索経路を分岐させる分岐部３１５を含んで構成される。この構成により、プロテクタ３０１は、第１プロテクタ部３１０の当該分岐部３１５にて配索材Ｗの一部の配索経路を分岐させた上で、少なくとも一部を直線状とは異なる異形形状に規制した状態を維持することができる。この結果、プロテクタ３０１、ワイヤハーネスＷＨ３は、例えば、配索材Ｗの配索経路を分岐するための部品等を別途設けることなく、部品点数の増加を抑制しつつ配索材Ｗを適正に保護しフレキシブルな配索に対応することができる。
【００４５】
なおここでは、分岐部３１５は、１系統である配索材Ｗの配索経路を、二又に分岐させ２系統とする部分として形成されるものとして説明したがこれに限らず、三又以上に分岐させ３系統以上とする部分として形成されてもよい。
【００４６】
なお、上述した本発明の実施形態に係るプロテクタ、及び、ワイヤハーネスは、上述した実施形態に限定されず、特許請求の範囲に記載された範囲で種々の変更が可能である。本実施形態に係るプロテクタ、及び、ワイヤハーネスは、以上で説明した各実施形態、変形例の構成要素を適宜組み合わせることで構成してもよい。
【００４７】
以上の説明では、第２プロテクタ部２０は、直線状経路規制部を構成するものとして説明したがこれに限らず、配索材Ｗの配索経路を直線状とは異なる異形形状に規制するものであってもよい。すなわち、プロテクタ１、２０１、３０１は、第１プロテクタ部１０、２１０、３１０と第２プロテクタ部２０との双方が異径形状経路規制部を構成してもよい。
【００４８】
以上の説明では、連結可撓部３０、端部可撓部３４０は、外面が配索材Ｗの挿通方向に沿った波形形状であるものとして説明したがこれに限らない。
【符号の説明】
【００４９】
１、２０１、３０１    プロテクタ
１０、２１０、３１０    第１プロテクタ部
２０    第２プロテクタ部
３０    連結可撓部
２１２Ｂ    内蔵空間部
２１４    内蔵部品
３１５    分岐部
Ｗ    配索材
ＷＨ１、ＷＨ２、ＷＨ３    ワイヤハーネス
【図１】
2019033553.tif 000003
【図２】
2019033553.tif 000004
【図３】
2019033553.tif 000005
【図４】
2019033553.tif 000006
【図５】
2019033553.tif 000007
【図６】
2019033553.tif 000008
【図７】
2019033553.tif 000009